(57)【要約】【課題】ユーザがパネルクロックを調整できる放送受信装置を提供する。【解決手段】  液晶テレビは、受信部２、制御部３、ＬＣＤパネル４、リモコン受光器５、リモコン６、映像処理部３３、周波数変換部３４、クロック３５などを備える。周波数変換部３４は、表示器の駆動周波数であるパネルクロック３４１をＬＣＤパネル４に出力する。リモコン６のモードキー６１が押されたときには、制御部３は、周波数変換部３４が出力するパネルクロック３４１の周波数を揺動するよう制御する。周波数が揺動している状態で、決定キー６２が押された場合には、この揺動を停止するよう制御し、停止した時の周波数のパネルクロック３４１を出力する。また、制御部３は、このパネルクロックをメモリ３１に記憶する。【選択図】図１
2008227777.tif 000002
【特許請求の範囲】
【請求項１】
放送を受信する受信部と、
前記放送の映像を表示する表示器と、
前記表示器の駆動周波数であるパネルクロックを前記表示器に出力するパネルクロック出力手段と、
各種の操作入力を受け付ける操作手段と、を備えた放送受信装置において、
パネルクロックを記憶する記憶手段を備え、
前記パネルクロック出力手段は、
前記操作手段が第１の操作入力を受け付けた場合には、
（Ａ）前記パネルクロックの周波数を所定範囲で揺動させ、
（Ｂ）前記パネルクロックの周波数が揺動している状態で、前記操作手段が第２の操作入力を受けたときは、前記揺動を停止して、前記停止したときの周波数のパネルクロックを前記表示器に出力し、
前記記憶手段は、前記第２の操作入力を受けた場合には、前記停止した時のパネルクロックを記憶するテレビ受像機。
【請求項２】
放送を受信する受信部と、
表示器の駆動周波数であるパネルクロックを出力するパネルクロック出力手段と、
各種の操作入力を受け付ける操作手段と、を備えた放送受信装置において、
前記パネルクロック出力手段は、
前記操作手段が第１の操作入力を受け付けた場合には、
（Ａ）前記パネルクロックの周波数を所定範囲で揺動させ、
（Ｂ）前記パネルクロックの周波数が揺動している状態で、前記操作手段が第２の操作入力を受けたときは、前記揺動を停止して、前記停止した時の周波数のパネルクロックを出力する放送受信装置。
【請求項３】
前記パネルクロックを記憶する記憶手段を備え、
前記記憶手段は、前記第２の操作入力を受けた場合には、前記停止した時のパネルクロックを記憶する請求項２に記載の放送受信装置。
【請求項４】
請求項２、３のいずれかに記載の放送受信装置と、
前記パネルクロックに基づいて放送の映像を表示する表示器と、を備え、
前記パネルクロック出力手段は、前記パネルクロックを前記表示器に出力するテレビ受像機。
【発明の詳細な説明】
【技術分野】
【０００１】
本発明は、放送を受信して、表示器に映像信号とパネルクロックを出力する放送受信装置、テレビ受像機に関する。
【背景技術】
【０００２】
従来、放送を受信して液晶モニタに映像を出力する液晶テレビが実用化されている。
特許文献１〜２には、チューナの物理チャンネルの周波数に応じて表示パネルの駆動周波数（以下、パネルクロックという。）を更新する受信表示装置が開示されている。また、特許文献１には、受信周波数範囲内で受信しようとする電波と、不要電磁波が干渉しないよう表示出力制御手段の発振器を複数設けた構成が開示されている。
【特許文献１】特開平６−３４３１４５号公報
【特許文献２】特開２００６−２３７９９７号公報
【発明の開示】
【発明が解決しようとする課題】
【０００３】
特許文献１の構成では、確かにチューナの物理チャンネルとパネルクロックとの干渉を自動的に回避するよう構成している。しかしながら、実際に何らかの原因で物理チャンネルの周波数がパネルクロックと干渉した場合であっても、ユーザが画像を調整することができなかった。したがって、自動的に設定されたパネルクロックがチューナの物理チャンネルと実際に干渉している場合であっても、ユーザは、ノイズのある画像を視聴しなければならなかった。
【０００４】
そこで、本発明は、ユーザがパネルクロックを調整できる放送受信装置を提供することを目的とする。
【課題を解決するための手段】
【０００５】
本発明は、上述の課題を解決するための手段を以下のように構成している。
【０００６】
（１）  放送を受信する受信部と、
表示器の駆動周波数であるパネルクロックを出力するパネルクロック出力手段と、
各種の操作入力を受け付ける操作手段と、を備えた放送受信装置において、
前記パネルクロック出力手段は、
前記操作手段が第１の操作入力を受け付けた場合には、
（Ａ）前記パネルクロックの周波数を所定範囲で揺動させ、
（Ｂ）前記パネルクロックの周波数が揺動している状態で、前記操作手段が第２の操作入力を受けたときは、前記揺動を停止して、前記停止した時の周波数のパネルクロックを出力する。
【０００７】
この構成では、操作部が第２の操作入力を受けた場合に、パネルクロック出力手段は、パネルクロックの周波数を揺動して、第２の操作入力を受けた時にこれを停止する。したがって、ユーザは、パネルクロックを調整できる。したがって、パネルクロックを自動調整したにもかかわらず、受信部に入力される放送信号と干渉して画像が乱れる場合でも、ユーザはパネルクロックを調整して、現実に起こっている乱れを、実際に視認しながら調整できる。したがって、このような画像の乱れを容易に解消することができる。
【０００８】
（２）  前記パネルクロックを記憶する記憶手段を備え、
前記記憶手段は、前記第２の操作入力を受けた場合には、前記停止した時のパネルクロックを記憶する。
【０００９】
この構成では、前記第２の操作入力により停止したパネルクロックを記憶する。したがって、受信部が放送を選局したときに、その放送について、すでに第２の操作入力を受けて決定されたパネルクロックを記憶手段が記憶しているときは、そのパネルクロックを出力できる。したがって、この場合、ユーザはいちいち設定する必要がない。
【００１０】
なお、メモリは、物理チャンネル、デジタル放送のサブチャンネルと対応させてパネルクロックを記憶してもよい。
【００１１】
（３）  （１）、（２）に記載の放送受信装置と、
前記パネルクロックに基づいて放送の映像を表示する表示器と、を備え、
前記パネルクロック出力手段は、前記パネルクロックを前記表示器に出力するテレビ受像機である。
（１）、（２）で表示器をさらに備えたテレビ受像機としてもよい。
【発明の効果】
【００１２】
本発明の放送受信装置によれば、ユーザがパネルクロックを調整できる。
【発明を実施するための最良の形態】
【００１３】
図１を用いて、本発明の第１の実施形態の液晶テレビ１について説明する。液晶テレビ１は、受信部２、制御部３、映像処理部３３、周波数変換部３４、クロック３５、ＬＣＤパネル４、リモコン受光器５、リモコン受光器６を備える。
【００１４】
なお、制御部３、周波数変換部３４、クロック３５は、本発明のパネルクロック出力手段に相当する。
【００１５】
受信部２は、選局部、映像受信部、音声受信部を備える。選局部は、アンテナ１０１で受信したテレビ信号の中から、希望する受信チャンネルの信号を取り出し、中間周波数信号に変換する。映像受信部は、中間周波数信号を増幅し、映像中間周波数信号、音声中間周波数信号に分離する。また、映像中間周波数信号からカラー映像信号を取り出す。
【００１６】
制御部３は、ＣＰＵ３０、メモリ３１、ＲＯＭ３２等を備える。ＣＰＵ３０は、各種の演算を行い、サブルーチンを実行し、各部を制御する。例えば、制御部３は、周波数変換部３４にパネルクロック３４１の周波数を指示する。
【００１７】
ＲＯＭ３２には、制御情報や、ＣＰＵ３０が実行するサブルーチンが記録されている。例えば、ＲＯＭ３２には、後述するパネルクロック調整処理を行うためのサブルーチンが記録されている。また、メモリ３１は、ＣＰＵ３０が行った演算結果を一時的に記憶する。
【００１８】
映像処理部３３は、色信号再生部、同期検出部、表示データ生成部、同期検出回路、フレームメモリを備える。色信号再生部は、カラー映像信号から色信号を取り出し、ＲＧＢの３原色信号を生成する。同期検出部は、カラー映像信号から水平同期信号、垂直同期信号を取り出す。表示データ生成部は、３原色信号をＡ／Ｄ変換し、水平同期信号、垂直同期信号に基づいて、映像処理部３３内のフレームメモリに記憶する。
【００１９】
また、映像処理部３３は、テレビ信号からＥＰＧ（電子番組表）データを取り出して、メモリ３１に記憶させる。また、映像処理部３３は、ＯＳＤ合成部を備える。ＯＳＤ合成部は、液晶テレビ１の状態等を表す文字図形等のＯＳＤ画像（On Screen Display）を生成し、メモリ３１に記憶した映像信号と合成し、ＬＣＤパネル４に出力する。ＯＳＤ合成部は、本発明の実施をする上で、必ずしも必要がないが、パネルクロック調整処理を行うときに、ユーザに処理の段階を伝達できる点でＯＳＤ合成部がある方が好ましい。
【００２０】
周波数変換部３４は、クロック３５の基準周波数から、パネルクロック３４１を生成し出力する。このパネルクロック３４１の周波数は、ＸＧＡの解像度（１０２４×７６８ピクセル）であれば、６２メガヘルツ程度となる。周波数変換部３４は、パネルクロック３４１の周波数を±０．５ＭＨｚ程度の範囲で段階的または連続的に変えられるようにする。
【００２１】
クロック３５は、水晶発振子とすることができ、基準周波数を出力する。
【００２２】
ＬＣＤパネル４は、２枚の透明板と、透明板の間に入れられた液晶と、透明板に張られた偏向板と、液晶の各画素に所定の電圧を印加するドライバーＩＣ、透明板に光を照射するバックライト等を備える。ドライバーＩＣは、周波数変換部３４から出力された水平周波数、垂直周波数のタイミングに基づいて、ＬＣＤパネル４の各画素に印加する電圧を供給する。印加された電圧に応じて液晶の各分子が動いて、バックライトで照らされた光の透過率が変わり、所望の画像を出力できる。
【００２３】
リモコン受光器５は、リモコン６から赤外線信号を受け付け制御部３に出力する。ＣＰＵ３０は、赤外線信号を受け付けた場合には、どの信号かを判断して、この信号に対応する所定のサブルーチンを実行する。
【００２４】
なお、制御部３、映像処理部３３、周波数変換部３４、クロック３５を、１つのマイコンとして構成してもよい。
【００２５】
リモコン６は、複数の操作子と赤外線発光素子を備え、リモコン受光器５に赤外線信号を送信する。操作子として、ループキー６１を備えている。
【００２６】
図２を用いて、制御部３が実行するパネルクロック調整処理について説明する。
ここで、パネルクロック３４１の整数倍が受信部２で受信する物理チャンネルの周波数であった場合には、受信部２、映像処理部３３にノイズが混入して、パネルクロック３４１の高調波が物理チャンネルの周波数と干渉して、画像が乱れることがある。この処理は、ユーザによるキー入力を受け付けて、パネルクロック３４１を調整する。
【００２７】
ＳＴ１で、リモコン６のモードキー６１のキー入力がされたか判断する。制御部３は、キー入力がされた場合にどの入力がされたか判断する。制御部３は、パネルクロック調整については、モードキー６１のキー入力がされるまで待機し、このキー入力がされたときは、ＳＴ２以降の処理を実行する。
ＳＴ２で、制御部３は、周波数変換部３４に指示するパネルクロック周波数を段階的に（連続的に視認できる程度の刻み幅でもよい。）増加させる。この増加速度は、ユーザが視認できる速度であって、ユーザがパネルクロック周波数を決定するのに十分ゆっくりした速度とする。ＳＴ３で、周波数変換部３４に指示するパネルクロック周波数を段階的に減少させる。この減少速度は、ユーザが視認できる速度であって、ユーザがパネルクロック周波数を決定するのに十分なゆっくりした速度とする。このようにパネルクロック３４１の周波数を揺動させているので、ユーザは、画像がよい状態がどの状態かを視認することができる。
【００２８】
ＳＴ２、ＳＴ３を実行している間、ＳＴ４で、リモコン６の決定キー６２のキー入力がされたかを判断する。この判断は、パネルクロックを段階的に増加、減少するごとに行う。制御部３は、決定キー６２のキー入力がされない限り（ＳＴ４のＮＯ）、ＳＴ２、ＳＴ３を継続する。制御部３は、決定キー６２のキー入力がされた場合には（ＳＴ４のＹＥＳ）、ＳＴ５、ＳＴ６を実行する。
【００２９】
ＳＴ５で、ＳＴ２、ＳＴ３で行ったパネルクロック３４１を揺動する動作を停止する。すなわち、制御部３は、パネルクロック３４１を決定キー６２が押された時のパネルクロック３４１の周波数に固定する。この固定した一定のパネルクロック３４１をＬＣＤパネル４に出力するよう周波数変換部３４に指示する。また、ＳＴ６で、固定したパネルクロック３４１をメモリ３１に記憶する。
【００３０】
なお、以上の調整結果が電源オフ後も反映されるよう、メモリ３１のうち、このパネルクロック３４１を記憶するメモリは、不揮発性メモリ、たとえばフラッシュカードとするのが望ましい。また、メモリ３１にパネルクロック３４１を記憶するのが望ましい。このようにすれば、すでにパネルクロックが設定されていれば、受信部２が所定のチャンネルを出力している間、周波数変換部３４は、所定のチャンネルごとに最適なパネルクロック３４１を出力することができる。さらに、メモリ３１は、チャンネルごとにパネルクロック３４１を記憶するのが望ましい。パネルクロック３４１との干渉は直接的には物理チャンネルと干渉するものであり、物理チャンネルごとに記憶すればよい。また、１つの物理チャンネルに複数の放送が多重化されているデジタル放送では、メモリ３１は、仮想チャンネルごとにパネルクロック３４１を記憶してもよい。また、パネルクロック３４１を記憶するメモリ３１は、制御部３の外にあってもよい。
【００３１】
また、ＳＴ２、ＳＴ３の順序はいずれが先でも良い。ＳＴ５、ＳＴ６の順序は、いずれが先でも良いし、同時でも良い。
【００３２】
以上では、アナログ放送を例に取って説明したが、デジタル放送のストリーム、例えばＴＳ、ＰＳ（トランスポートストリーム、プログラムストリーム）を受信してデコードする構成であってもよい。また、以上ではＬＣＤパネル４を用いて説明したがパネルクロック３４１を表示器に表示する構成であれば、どのような表示器でも良い。例えば、プラズマディスプレイ等のマトリクス形式の表示器を備えるテレビジョン受像機に適用できる。
【図面の簡単な説明】
【００３３】
【図１】本実施形態の放送受信装置の構成図
【図２】本実施形態の放送受信装置のパネルクロック調整処理のフロー図
【符号の説明】
【００３４】
１−液晶テレビ、  ２−受信部、  ３−制御部、
３０−ＣＰＵ、  ３１−メモリ、  ３２−ＲＯＭ、  ３３−映像処理部、
３４−周波数変換部、  ３４１−パネルクロック、
３５−クロック、  ４−ＬＣＤパネル、  ５−リモコン受光器、
６−リモコン、  ６１−モードキー、  ６２−決定キー、  １０１−アンテナ
【図１】
2008227777.tif 000003
【図２】
2008227777.tif 000004